(57)【特許請求の範囲】
【請求項１】
木質系表面材の下側周縁に枠を設けた木質系暖房床材本体と、前記枠に囲まれた空間内に設置されるヒータユニットと、前記木質系暖房床材本体の長手方向の両端に設けられた内部空間と、前記ヒータユニットを電源ケーブルを介して電源に接続する前記木質系暖房床材本体の長手方向の両端に設けられたコネクタと、前記枠の両端側に設けられ前記コネクタを前記内部空間から引き出すための開口部と、を有する木質系暖房床材において、
前記開口部は、複数あり、且つ前記枠の両端側のうち少なくとも一端側の開口部に前記コネクタを収納するコネクタ収納空間を有し、
前記コネクタ収納空間側のコネクタは、前記コネクタ収納空間に固定されて収納され、
前記木質系暖房床材本体は、裏面を裏面材で覆われ、
前記裏面材は、前記内部空間上に対応する位置に設けられ開閉自由な第１の窓部と、前記コネクタ収納空間上に対応する位置で前記第１の窓部と接続されて設けられ前記枠の周縁に向けて開閉自由な複数の第２の窓部とを有し、
前記コネクタは、前記第１及び第２の窓部から引き出し位置を操作されることを特徴とする木質系暖房床材。
【請求項２】
前記複数の第２の窓部は、ミシン目を有し、前記ミシン目で選択的に開閉することを特徴とする請求項１記載の木質系暖房床材。
【請求項３】
前記コネクタ収納空間は、前記開口部と前記内部空間との境界でくびれた段付き形状のくびれ部を有することを特徴とする請求項１又は２に記載の木質系暖房床材。
【請求項４】
木質系表面材の下側周縁に枠を設けた木質系暖房床材本体と、前記枠に囲まれた空間内に設置されるヒータユニットと、前記木質系暖房床材本体の長手方向の両端に設けられた内部空間と、前記ヒータユニットを電源ケーブルを介して電源に接続する前記木質系暖房床材本体の長手方向の両端に設けられたコネクタと、前記枠の両端側に設けられ前記コネクタを前記内部空間から引き出すための開口部と、を有する木質系暖房床材において、
前記開口部は、前記枠の両端側のうち少なくとも一端側の開口部に前記コネクタを収納するコネクタ収納空間を有し、
前記コネクタ収納空間側のコネクタは、前記コネクタ収納空間に固定されて収納され、
前記コネクタ収納空間は、前記開口部と前記内部空間との境界でくびれた段付き形状のくびれ部を有することを特徴とする木質系暖房床材。
【請求項５】
前記開口部は、複数あり、
前記コネクタは、前記開口部と同じ数であり、それぞれの前記開口部に１つずつ収納されていることを特徴とする請求項４に記載の木質系暖房床材。
【請求項６】
前記コネクタ収納空間側のコネクタは、接着剤あるいは両面シールなどの接着材で前記コネクタ収納空間に固定されることを特徴とする請求項１乃至５のいずれかに記載の木質系暖房床材。
【発明の詳細な説明】
【０００１】
【発明の属する技術分野】
本発明は、木質系暖房床材に関し、特に、一般家庭用フローリングにおいてヒータ線を使用した木質系暖房床材に関する。
【０００２】
【従来の技術】
図９は、従来の木質系暖房床材（以下、「暖房床材」とも言う）を表面から内部を透かして示す。この暖房床材５１は、その本体をなし化粧板としても機能する木質系表面材１０１と、その裏面周縁に設けられた枠１０２と、この枠１０２内に、Ｕ字形に蛇行して布設されたヒータ線１０３と、その両端に接続される電源線１０４と、接地部１０５と、接地部１０５に接続されるアース線１０６とを備えている。ヒータ線１０３、電源線１０４、接地部１０５、及びアース線１０６等の配線は、アルミ均熱板（図示せず）で覆われ、更に硬質ウレタン（図示せず）で封止されてヒータユニットを形成している。
【０００３】
電源線１０４と接地部１０５に接続されるアース線１０６は、枠１０２の左側及び右側に設けられている空間で、それぞれ配線１３０を介して凹コネクタ１０７と凸コネクタ１０８に接続されている。凹コネクタ１０７は枠１０２の左側空閻の上側、下側、及び左横側に設けられた３つの開口部１０９の内、任意の開口部１０９から引き出し可能となっている、また、凸コネクタ１０８は枠１０２の右側空間の上側、下側、及び右横側に設けられた３つの開口部１１０の内、任意の開口部１１０から引き出し可能となっている。
【０００４】
図１０は、暖房床材５１を裏面から示す。凹コネクタ１０７及び凸コネクタ１０８をそれぞれ所定の開口部１０９及び１１０から引き出す際には、暖房床材５１の裏面に設けられた窓部１２０から、コネクタ１０７及び１０８と配線１３０を一旦引き出し、所定の向きにコネクタ１０７及び１０８を修正し、再度内部空間に納める。この窓部１２０はコの字状の切り欠き部１２０ａと折り曲げ部１２０ｂからなり、折り曲げ部１２０ｂで折り曲けて、切り欠き部１２０ａを起こすことで自由に開閉出来るようになっている。
【０００５】
以上のような構成により、複数の暖房床材５１は、その左右両端に設けられた凹コネクタ１０７と凸コネクタ１０８によって、隣接する暖房床材５１に電気的に接続され、電源（図示せず）から暖房床材５１に電力を供給して使用される。
【０００６】
【発明が解決しようとする課題】
しかしながら、図９及び図１０に示したような従来の木質系暖房床材によれば、コネクタどうしの接続は両手で行わなければならないため、布設しようとする暖房床材を一旦、地上に下ろさなければならず、作業の効率が悪いという問題があった。
【０００７】
また、布設工事の際に隣り合う暖房床材の位置や布設の仕方によって、コネクタの引き出し位置を変えなければならないため、非常に手間がかかり、また、施工に際し、ある程度の経験が必要になるという問題があった。
【０００８】
さらに、このコネクタの引き出し位置の変更作業のために、配線を収納する内部空間を設けなければならないため、その空間内にヒータ線を設けることができず、暖房床材全体が均一に暖まらないという問題があった。
【０００９】
また、コネクタの引き出し位置の変更作業のために、暖房床材の裏面材に窓部を設けなければならず、構造が複雑になり、製造工程が増え、コストが高くなるという問題があった。
【００１０】
従って、本発明の目的は、施工に際し、片手でコネクタの接続ができ、迅速且つ効率的に作業をすることができる木質系暖房床材を提供することである。
【００１１】
また、本発明の目的は、加工コストを低減し、全体的に均等に暖まる木質系暖房床材を提供することである。
【００１２】
さらに、本発明の目的は、施工に際し、コネクタの引き出し位置を変える必要がなく、施工現場での設計検討が不要となり、特に経験のない作業者でも容易に施工できる木質系暖房床材を提供することである。
【００１３】
【課題を解決するための手段】
本発明は、以上に述べた目的を実現するため、木質系表面材の下側周縁に枠を設けた木質系暖房床材本体と、枠に囲まれた空間内に設置されるヒータユニットと、木質系暖房床材本体の長手方向の両端に設けられた内部空間と、ヒータユニットを電源ケーブルを介して電源に接続する木質系暖房床材本体の長手方向の両端に設けられたコネクタと、枠の両端側に設けられコネクタを内部空間から引き出すための開口部と、を有する木質系暖房床材において、開口部は、複数あり、且つ枠の両端側のうち少なくとも一端側の開口部にコネクタを収納するコネクタ収納空間を有し、コネクタ収納空間側のコネクタは、コネクタ収納空間に固定されて収納され、木質系暖房床材本体は、裏面を裏面材で覆われ、裏面材は、内部空間上に対応する位置に設けられ開閉自由な第１の窓部と、コネクタ収納空間上に対応する位置で第１の窓部と接続されて設けられ枠の周縁に向けて開閉自由な複数の第２の窓部とを有し、コネクタは、第１及び第２の窓部から引き出し位置を操作されることを特徴とする木質系暖房床材を提供する。
【００１４】
【発明の実施の形態】
以下本発明の木質系暖房床材を詳細に説明する。
【００１５】
図１（Ａ）は、本発明の木質系暖房床材（以下、「暖房床材」とも言う）の内部を表面から透かして示したものである。この暖房床材５０は、その本体をなし化粧板としても機能する木質系表面材１の裏面周縁に枠２を設け、この枠２内にヒータ線３がＵ字形に蛇行して布設され、その両端は電源線４に接続されている。そして、ヒー夕線３、電源線４等の配線をアルミ均熱材（図示せず）で覆い、硬質ウレタン（図示せず）で封止してヒータユニットを形成する。電源線４と接地部５に接続されるアース線６は、枠２の左側及び右側に設けられている空間で、それぞれ配線１３を介して凹コネクタ７及び凸コネクタ８に接続されている。
【００１６】
図１（Ｂ）は、開口部９を拡大して示している。凹コネクタ７は、枠２の左側空間の上側、下側、及び左横側に設けられた３つの開口部９の内、任意の開口部９から引き出し可能となっている。また、凸コネクタ８は、枠２の右側空間の上側、下側、及び右横側に設けられた３つの開口部１０の内、任意の開口部１０から引き出し可能となっている。凹コネクタ７側の開口部９は、内部空間１１との境界部で段付きのくびれ１６を有し、コネクタ収納空間１２を形成している。
【００１７】
図２は、暖房床材５０を裏面から見た図である。この暖房床材５０の裏面材５５には、第１の窓部２０が設けられており、この第１の窓部２０は、略コの字状に切り欠かれた切り欠き部２０ａと折り曲げ部２０ｂからなっている。また、裏面材５５には、第１の窓部２０に接続され、枠２の周縁に向かって第２の窓部２１が設けられている。第２の窓部２１は、ミシン目２１ａと折り曲げ部２１ｂからなっており、ミシン目２１ａを破ることで３つの窓部２１の内、所望の窓部２１を自由に開閉できるようになっている。
【００１８】
図３は、暖房床材の裏面材を示す。上述の例では、凹コネクタ７側のみにコネクタ収納空間１２と第２の窓部２１を設けたので、反対側の凸コネクタ８側は従来と同様の開口部１０（図１及び図２）と第１の窓２０のみを有する構造となっている。
【００１９】
図４によって、凹コネクタ７をそれぞれ所定の開口部９から引き出す方法を説明する。暖房床材５０の裏面材５５に設けられた第１の窓部２０を折り曲げ部２０ｂで折り曲げ、切り欠き部２０ａを起こすことにより、窓部２０を開く。ここから凹コネクタ７と配線１３を一旦引き出す。その後、凹コネクタを引き出したい箇所の第２の窓部２１のミシン目２１ａを破り、折り曲げ部２１ｂで折り曲げて第２の窓部を開く回そして、凹コネクタ７を所望のコネクタ収納空間１２に納める。その際、凹コネクタ７は枠２に対して接着剤あるいは両面テープ等で固着する。凹コネクタ７の固着後、配線１３を整え、第１の窓部２０、第２の窓部２１を閉じる。
【００２０】
一方、図２に示すように、凸コネクタ８側には、第１の窓部２０しかないため、第１の窓部２０を上述の様に開き、凸コネクタ８を所望の開口部１０から枠２の外に引き出した後、第１の窓部２０を閉じる。
【００２１】
この状態で暖房床材５０の施工準備は終了し、凹及び凸両コネクタ７及び８の状態は凹コネクタ７が暖房床材５０の枠２の内部のコネクタ収納空間１２に固着されている。また、凸コネクタ８は暖房床材５０の開口部１０から引き出された状態、すなわちフリーの状態となっている。
【００２２】
次に、本発明の暖房床材の施工方法について説明する。既に布設された暖房床材５０の隣にこれから布設する暖房床材５０を並べるように配置する。この際、既に布設された吸房床材５０のコネクタ接続用の開口部９のコネクタ収納空間１２には、凹コネクタ７が固着された状態で準備されている。これから布設する暖房床材５０では、コネクタ接続用の開口部１０から凸コネクタ８が引き出された状態であるので、この凸コネクタ８を持ち、既に布設された暖房床材５０の凹コネクタ７に嵌合し、接続する。
【００２３】
図５（Ａ）及び（Ｂ）は、本発明の木質系暖房床材の他の実施の形態を示す。図５（Ａ）及び（Ｂ）に示すように、コネクタ収納空間１２のくびれ１６の形状が、次第にくびれていくように形成してもよい。
【００２４】
以上、本発明の木質系暖房床材の形態を示したが、凹コネクタ７の代りに、開口部１０にくびれを設けて収納空間を形成し、その収納空間に凸コネクタ８を固着してもよい。
【００２５】
以上、述べたように、本発明による木質系暖房床材によれば、少なくとも片側のコネクタをコネクタ収納空間に固着しているため、コネクタ接続時には一方のコネクタを手に持つだけの片手での接続作業が可能になり、迅速且つ効率的に作業をすることができる。また、接着剤等によるコネクタの固着が外れた場合でも、コネクタ収納空間がくびれた段付きの構造をしているため、コネクタが暖房床材の内部空間に入り込まず、そのままコネクタ接続をすることができる。
【００２６】
図６は、本発明による木質系暖房床材の他の形態を示す。図６は、図１と同様に、暖房床材の内部をその表面から透かして示している。この暖房床材５０は、その本体をなし化粧板としても機能する木質系表面材１の裏面周縁に枠２を設け、この枠２内にヒータ線３がＵ字形に蛇行して布設され、その両端は電源線４に接続されている。そして、ヒータ線３、電源線４等の配綿をアルミ均熱材（図示せず）で覆い、硬質ウレタン（図示せず）で封止してヒータユニットを形成する。電源線４と接地部５に接続されるアース線６は、枠２の左側及び右側に設けられている空間で、それぞれ凹コネクタ７及び凸コネクタ８に接続されている。
【００２７】
ここで、３つの凹コネクタ７は、それぞれが配線１３を介して電源線４及びアース線６に接続部１４で接続され、枠２の左側空間の上側、下側、及び左横側に設けられた３つの開口部９のそれぞれに、収納され、接着剤（図示せず）により固定されている。また、凸コネクタ８は枠２の右側空間の上側、下側、及び右横側に設けられた３つの開口部１０の内、任意の開口部１０から引き出し可能となっている。凹コネクタ７側の開口部９は、内部空間１１との境界部で段付きのくびれ１６を有するコネクタ収納空問１２を形成している。凹コネクタ７に接続された配線１３は、内部空間１１の周縁に沿って配置され、接続部１４でヒータユニットの電源線４及びアース線６に接続されている。
【００２８】
図７は、暖房床材５０を裏面から示す。暖房床材５０の裏面材５５の凸コネクタ８側には、窓部２０が設けられている。窓部２０は、略コの字状に切り欠かれた切り欠き部２０ａと折り曲げ部２０ｂからなっている。凸コネクタ８の引き出し位置を設定するときには、窓部２０を折り曲げ部２０ｂで折り曲げ、切り欠き部２０ａを起こすことにより、窓部２０を開き、この窓部２０から凸コネクタ８と配線１３を一旦引き出す。その後、凸コネクタ８を所望の開口部１０から外部に引き出した後、窓部２０を閉じる。
【００２９】
この状態で暖房床材５０の施工準備は終了する。凹コネクタ７は、暖房床材５０の３つの収納空間１２にそれそれ配置されており、他の暖房床材５０の凸コネクタ８は、いずれかの凹コネクタ７に接続することができるようになっている。一方、凸コネクタ８は、暖房床材５０の所定の開口部１０から引き出され、フリーの状態となっている。この暖房床材５０を隣り合う暖房床材５０と凹凸コネクタ７、８で接続することにより、電源（図示せず）から電カが供給されて使用される。
【００３０】
ここで、凹コネクタ７の代りに凸コネクタ８を３つ用意し、凹コネクタ７のように開口部１０にくびれを設けて収納空間を形成し、その収納空間に固着してもよい。この場合、窓部２０は、凹コネクタ７側に形成する。
【００３１】
以上述べたように、図６に示した様な本発明の木質系暖房床材によれば、少なくとも片側の複数のコネクタ収納空間のそれぞれにコネクタが配置されている為、片側のコネクタの引き出し方向の調整が不要になり、また裏面のコネクタの作業用の窓部が片方のみでよいため、製品の加工コストが低減できる。
【００３２】
また、コネクタをコネクタ収納空間に固着しているため、コネクタ接続時には一方のコネクタを手に持つだけの片手での接続作業が可能となり、迅速且つ効率的に作業をすることができる。また、接着剤等によるコネクタの固着が外れた場合でも、コネクタ収納空間がくびれた段付きの構造をしているため、コネクタが暖房床材の内部空間に入り込まず、そのままコネクタ接続をすることができる。
【００３３】
さらに、片側のコネクタは、予め全ての方向の収納空間に配置されており、引き出し方向を変える作業が不要なため、配線に余分な長さを設ける必要がなく、配線は内部空間の周縁に這わせるだけでよい。このため、作業用の空間も不要になり、従来よりも充分にヒータ線を配置できるので、木質系暖房床材全体の発熱有効面積を増やすことができ、木質系暖房床材の表面全体を均一に暖めることができる。
【００３４】
図８は、本発明による木質系暖房床材の他の形態を示す。図８は、図１と同様に、暖房床材の内部をその表面から透かして示している。この暖房床材５０は、その本体をなし化粧板としても機能する木質系表面材１の裏面周縁に枠２を設け、この枠２内にヒータ線３がＵ字形に蛇行して布設され、その両端は電源線４に接続されている。そして、ヒータ線３、電源線４等の配線をアルミ均熱材（図示せず）で覆い、硬質ウレタン（図示せず）で封止してヒータユニットを形成する。電源線４と接地部５に接続されるアース線６は、枠２の左側及び右側に設けられている空間で、それぞれ凹コネクタ７及び凸コネクタ８に接続されている。
【００３５】
３つの凹コネクタ７は、枠２の左側空間の上側、下側、及び左横側に設けられた３つの開口部９の内部に設けられたコネクタ収納空間１２のそれぞれに収納配置されており、引き出し可能になっている。また、３つの凸コネクタ８は枠２の右側空間の上側、下側、及び右横側に設けられた３つの開口部１０の内部に設けられたコネクタ収納空間１５のそれぞれに収納配置されており、引き出し可能になっている。それぞれのコネクタ収納空間１２、１５は内部空間１１との境界部でくびれ１６を有する。尚、図８においては、それぞれ２組ずつの配線１３の記載を省略している。
【００３６】
コネクタに接続されている配線１３は、接続部１４でそれそれ電源線４及びアース線６に接続されており、両端のそれぞれ３つのコネクタ７、８の内、どのコネクタ７、８を用いても電気的に接続される配線構造となっている。図８で示した暖房床材５０を布設する場合には、隣り合った暖房床材５０に応じて必要なコネクタ接続位置を選択し、その収納空間１２又は１５からコネクタ７又は８を引き出して、隣りの暖房床材５０に接続する。この様にして、全ての暖房床材に電源（図示せず）から電力を供給する。
【００３７】
以上述べたように、図８に示した本発明による木質系暖房床材によれば、それぞれのコネクタ収納空間１２、１５に予めコネクタを収納しているので、施工前にコネクタの接続位置を考慮する必要がなく、施工現場での設計検討が不要となり、特に経験のない作業者でも容易に施工できるようになった。また、コネクタの引き出し方向を変える作業も不要となるため、迅速且つ効率的に作業をすることができ、コネクタの引き出し方向を変える窓部が不要となり、製品の加工工程を減らすことができ、コストの低減を図ることができる。
【００３８】
【発明の効果】
以上述べた通り、本発明の木質系暖房床材によれば、少なくとも片側のコネクタをコネクタ収納空間に固着しているため、コネクタ接続時には一方のコネクタを手に持つだけの片手での接続作業が可能になり、迅速且つ効率的に作業をすることができる。また、接着剤等によるコネクタの固着が外れた場合でも、コネクタ収納空間がくびれた段付きの構造をしているため、コネクタが暖房床材の内部空間に入り込まず、そのままコネクタ接続をすることができるようになった。
【００３９】
また、少なくとも片側の複数のコネクタ収納空間のそれぞれにコネクタを配置することによって、片側のコネクタの引き出し方向の調整が不要になり、また裏面のコネクタの作業用の窓部が片方のみでよいため、製品の加工コストが低減できるようになった。さらに、配線に余分な長さを設ける必要がなく、配線は内部空間の周縁に這わせるだけでよいため、充分にヒータ線を配置できるので、木質系暖房床材全体の発熱有効面積を増やすことができ、木質系暖房床材の表面全体を均一に暖めることができるようになった。
【００４０】
また、両側全てのコネクタ収納空間に予めコネクタを収納することによって、施工前にコネクタの接続位置を考慮する必要がなく、施工現場での設計検討が不要となり、特に経験のない作業者でも容易に施工できるようになった。また、コネクタの引き出し方向を変える窓部が不要となり、製品の加工工程を減らすことができ、コストを低減することができるようになった。
【図面の簡単な説明】
【図１】本発明の木質系暖房床材の内部を表面から透かして示した図である。
【図２】本発明の木質系暖房床材を裏面から示した図である。
【図３】本発明の木質系暖房床材の裏面材を示す図である。
【図４】凹コネクタを開口部から引き出す方法を説明する図である。
【図５】本発明の木質系暖房床材の他の実施の形態を示す図である。
【図６】本発明の木質系暖房床材の内部を表面から透かして示した図である。
【図７】本発明の木質系暖房床材を裏面から示した図である。
【図８】本発明の木質系暖房床材の内部を表面から透かして示した図である。
【図９】従来の木質系暖房床材の内部を表面から透かして示した図である。
【図１０】従来の木質系暖房床材を裏面から示した図である。
【符号の説明】
１、１０１  木質系表面材
２、１０２  枠
３、１０３  ヒータ線
４、１０４  電源線
５、１０５  接地部
６、１０６  アース線
７、１０７  凹コネクタ
８、１０８  凸コネクタ
９、１０、１０９、１１０  開口部
１１  内部空間
１２、１５  コネクタ収納空間
１３  配線
１４  接続部
１６  くびれ
２０、１２０  第１の窓部
２０ａ、１２０ａ  切り欠き部
２０ｂ、１２０ｂ  折り曲げ部
２１  第２の窓部
２１ａ  ミシン目
２１ｂ  折り曲げ部
５０、５１  木質系暖房床材
５５  裏面材
【図１】
0003558115.tif 000002
【図２】
0003558115.tif 000003
【図３】
0003558115.tif 000004
【図４】
0003558115.tif 000005
【図５】
0003558115.tif 000006
【図６】
0003558115.tif 000007
【図７】
0003558115.tif 000008
【図８】
0003558115.tif 000009
【図９】
0003558115.tif 000010
【図１０】
0003558115.tif 000011